(57)【要約】【課題】タイルユニット繋ぎ目の目地凹部を綺麗に仕上げる。【解決手段】碁盤目状若しくは千鳥状に並べられた複数のタイル１、1a…の表面をシート材２の裏面に接着すると共に、該シート材２の裏面における各タイル１、1a…の間と、タイル１、1a…による碁盤目模様若しくは千鳥模様の外周のうち一角から始まり半周を占める連続辺部にタイル１、1a…よりも薄手の仮目地体３を接着したタイルユニットにおいて、前記連続辺部の対辺側に位置するタイル１、1a…の端面に防護膜体４を接着し、マスキングすることによって、施工用の固着剤Ｄがタイルユニット繋ぎ目のタイル１、1a…の端面に付着するのを防止する。【選択図】図３
2008088745.tif 000002
【特許請求の範囲】
【請求項１】
碁盤目状若しくは千鳥状に並べられた複数のタイルの表面をシート材の裏面に接着すると共に、該シート材の裏面における各タイルの間と、タイルによる碁盤目模様若しくは千鳥模様の外周のうち一角から始まり半周を占める連続辺部にタイルよりも薄手の仮目地体を接着したタイルユニットにおいて、
前記連続辺部の対辺側に位置するタイル端面に防護膜体を接着したことを特徴とするタイルユニット。
【請求項２】
対辺側のタイル端面にシート材の縁側部を回り込ませて防護膜体としたことを特徴とする請求項１記載のタイルユニット。
【請求項３】
対辺側のタイル端面におけるタイル表面側の仮目地体厚み相当部分のみに防護膜体を設けたことを特徴とする請求項１又は２記載のタイルユニット。
【発明の詳細な説明】
【技術分野】
【０００１】
本発明は、複数のタイルをシート材にて連結して成るタイルユニットに関する。
【背景技術】
【０００２】
従来より、施工の手間を軽減するため、複数のタイルをシート材にて連結したタイルユニットを利用していた（例えば、特許文献１参照）。
このタイルユニットは、図５〜７に示す様に、碁盤目状に並べられた複数のタイルＡ、A1…の表面をシート材Ｂの裏面に接着すると共に、該シート材Ｂの裏面における各タイルＡ、A1…の間と、タイルＡ、A1…による碁盤目模様の外周のうち一角を挟む二辺にタイルＡ、A1…よりも薄手の仮目地体Ｃを接着したものである。
施工時には、先ず壁や床等の躯体Ｗにモルタル、合成樹脂、合成樹脂に骨材を混合したもの、或いは、タイルセメント等の固着剤Ｄを施し、その固着剤Ｄ上にタイルユニットの裏面を押し当て、仮目地体Ｃの裏側の目地部形成用の空隙部に躯体Ｗ上の固着剤Ｄを導入充填して、目地部を形成すると共に、各タイルＡ、A1…を躯体Ｗに張付ける。
この時、被施工面端部が内角部ならば、一般的には内角部にタイルユニットの側部の仮目地体（碁盤目模様外周の二辺に設けた仮目地体）Ｃの一辺を突合わせる。
次に、張付済タイルユニットの側部の仮目地体Ｃのない側の端面に、他のタイルユニットの側部の仮目地体Ｃの端面を突合わせて、同様に張付け、これを繰返して、被施工面全体に張付ける。
最後に、固着剤Ｄが幾分固化して安定した後、シート材Ｂと仮目地体Ｃを取り除けば、タイル施工が完了し、この様に迅速且つ綺麗に仕上げられることから、需要者の間で絶大なる評価を得ていた。
【０００３】
【特許文献１】特開平７−１８０３２２号公報（特許請求の範囲、図２）
【発明の開示】
【発明が解決しようとする課題】
【０００４】
ところが、このタイルユニットでも、図７に示す様に、張付時にタイルユニットの繋ぎ目に若干の隙間が空き、その隙間に固着剤Ｄが入り込んで、目地凹部（仮目地体Ｃを取り除いた痕の空間）のタイルＡ、A1…端面に固着剤Ｄが付着し、付着量が僅かならば、その除去作業の負担も軽く、許容されてきたが、当業界でも人材不足で熟練工が減少し、そのため作業者が未熟で、以前よりも綺麗に仕上げることが更に困難となってきたため、その改善が望まれていた。
【課題を解決するための手段】
【０００５】
本発明は、上記課題に鑑み、碁盤目状若しくは千鳥状に並べられた複数のタイルの表面をシート材の裏面に接着すると共に、該シート材の裏面における各タイルの間と、タイルによる碁盤目模様若しくは千鳥模様の外周のうち一角から始まり半周を占める連続辺部にタイルよりも薄手の仮目地体を接着したタイルユニットにおいて、前記連続辺部の対辺側に位置するタイル端面に防護膜体を接着し、マスキングすることによって、施工用の固着剤がタイルユニット繋ぎ目のタイル端面に付着するのを防止する様にして、上記課題を解決する。
【発明の効果】
【０００６】
要するに本発明は、碁盤目状若しくは千鳥状に並べられた複数のタイルの表面をシート材の裏面に接着すると共に、該シート材の裏面における各タイルの間と、タイルによる碁盤目模様若しくは千鳥模様の外周のうち一角から始まり半周を占める連続辺部にタイルよりも薄手の仮目地体を接着したタイルユニットにおいて、前記連続辺部の対辺側に位置するタイル端面に防護膜体を接着したので、施工時にタイルユニットの繋ぎ目に隙間が空き、この隙間に施工用の固着剤が入り込んでも、防護膜体によりマスキングされているため、タイル端面には固着剤が付着せず、防護膜体を剥がせば、タイル端面が表れ、タイルユニット繋ぎ目の目地凹部（仮目地体を取り除いた痕の空間）を綺麗に仕上げることが出来る。
又、余分な固着剤の除去作業が不要であるため、作業負担の軽減、工期の短縮をも図ることが出来る。
【０００７】
対辺側のタイル端面にシート材の縁側部を回り込ませて防護膜体としたので、シート材の剥離により、同時にタイル端面のマスキングも取り除くことが出来ることから、手間数が減少し、能率の向上を図ることが出来る。
【０００８】
対辺側のタイル端面におけるタイル表面側の仮目地体厚み相当部分のみに防護膜体を設けたので、目地凹部の深さ（固着剤にて仮目地体の裏側に形成される目地部の高さ）をタイル端面の際まで揃えて、目地部をより綺麗に仕上げることが出来るその実用的効果甚だ大である。
【発明を実施するための最良の形態】
【０００９】
以下、本発明の一実施例を図面に基づき説明する。
図１は本発明に係るタイルユニットの概略裏面図、図２は図１のタイルユニットの施工中の状態を示す概略断面図、図３は図２のタイルユニット繋ぎ目の拡大図である。
図１〜３に示す様に、このタイルユニットは、複数のタイル１、1a…を碁盤目状に並べて、それらの表面をシート材２の裏面に接着すると共に、該シート材２の裏面における各タイル１、1a…の間と、タイル１、1a…による碁盤目模様の外周のうち一角を挟む二辺に仮目地体３を接着している。
【００１０】
仮目地体３は、発泡ポリエチレン等の合成樹脂から成り、施工時には、仮目地体３の裏側が目地部形成用の空隙部となり、この空隙部に固着剤Ｄを充填して目地部を形成するのであるから、タイル１、1a…よりも薄手でなければなず、またタイル１、1a…の表面側に固着剤Ｄが漏れ出てしまわない様に隣接するタイル１、1a…と互いにその端面で密着している。
【００１１】
シート材２は、適宜厚みの合成樹脂、紙材等から成り、各タイル１、1a…を連結するのに充分な強度を有すれば良く、また本実施例のものでは、タイル１、1a…と仮目地体３とにより表される方形部分よりも少し大きくして、その縁側部を上記の二辺（仮目地体３を設けた二辺）の対辺側に位置するタイル１、1a…とその間の仮目地体３の端面に回り込ませて、防護膜体４として、接着させている。
【００１２】
次に、本実施例のタイルユニットの施工方法について説明する。
基本的には、従来のものと略同じであり、先ず躯体Ｗの被施工面に固着剤Ｄを施し、その固着剤Ｄ上にタイルユニットの裏面を押し当て、仮目地体３の裏側の目地部形成用の空隙部に固着剤Ｄを導入充填して、目地部を形成すると共に、各タイル１、1a…を被施工面に張付ける（図２の下側のタイルユニット）。
次に、張付済タイルユニットの対辺側のタイル１（図２中の下側タイルユニットの上端のタイル）の端面に接着されたシート材２の縁側部（防護膜体４）に、他のタイルユニット（図２中の上側タイルユニット）の碁盤目模様外周の二辺の仮目地体３の端面を突合わせて張付ける。
【００１３】
この時、上下のタイルユニット繋ぎ目に隙間があり、その隙間に固着剤Ｄが漏れても、図３に示す様に、繋ぎ目のタイル１の端面にしてタイル１の表面側の仮目地体厚み相当部分は防護膜体４でマスキングされているため、固着剤Ｄはその部分に付着しない。
そして、固着剤Ｄが幾分固化して安定した後、シート材２（防護膜体４部分を含む）と共に仮目地体３を取り除けば、同時に繋ぎ目の隙間に漏れ出た固着剤Ｄも除去され、仮目地体３及び防護膜体４の痕が目地凹部となり、綺麗に仕上がる。
【００１４】
因みに、本実施例のものでは、シート材２の縁側部が防護膜体４を兼ねているが、シート材２とは別にし、テープ状の防護膜体４を設けても良いし、マスキング範囲も、対辺側全体（タイル１、1a…端面とその間の仮目地体３の端面）ではなく、対辺側のタイル１、1a…端面だけでも良く、またタイル１、1a…端面全面に設けても良いが、タイル１、1a…端面におけるタイル１、1a…表面側の仮目地体３の厚み相当部分のみに防護膜体４を設けても良く、このものでは目地凹部の深さがタイル１、1a…端面の際まで揃って、より綺麗に仕上がる。
【００１５】
又、タイル１、1a…配列も碁盤目状に限らず、図４に示す様に、千鳥状にタイル１、1a…を配列したものでも良く、要するに、碁盤目状若しくは千鳥状に並べられた複数のタイル１、1a…の表面をシート材２の裏面に接着すると共に、シート材２の裏面における各タイル１、1a…の間と、タイル１、1a…による碁盤目模様若しくは千鳥模様の外周のうち一角から始まり半周を占める連続辺部（碁盤目状のものでは、一角を挟む二辺）にタイル１、1a…よりも薄手の仮目地体３を接着したタイルユニットにおいて、前記連続辺部の対辺側に位置するタイル１、1a…端面に防護膜体４を接着していれば良い。
【図面の簡単な説明】
【００１６】
【図１】本発明に係る碁盤目状のタイルユニットの概略裏面図である。
【図２】図１のタイルユニットの施工中の状態を示す概略断面図である。
【図３】図２の要部拡大図である。
【図４】本発明に係る千鳥状のタイルユニットの概略裏面図である。
【図５】従来のタイルユニットの概略裏面図である。
【図６】図５のタイルユニットの施工中の状態を示す概略断面図である。
【図７】図６の要部拡大図である。
【符号の説明】
【００１７】
１、1a…  タイル
２        シート材
３        仮目地体
４        防護膜体
【図１】
2008088745.tif 000003
【図２】
2008088745.tif 000004
【図３】
2008088745.tif 000005
【図４】
2008088745.tif 000006
【図５】
2008088745.tif 000007
【図６】
2008088745.tif 000008
【図７】
2008088745.tif 000009